(57)【要約】【課題】足の前ずれ及び横ずれを防止できると共にデザイン性が損なわれない女性靴用の中底を得る。【解決手段】サンダル用中底の中底本体部２２０と、足裏全体の平面形状にされて中底本体部２２０の上面の全体に熱圧着されたウレタン製の下層部材１７０と、中底本体部２２０の全外周囲を覆うように熱圧着されたコルクゴム部１１０と、中底本体部２２０及びコルクゴム部１１０における中足部対応領域１００Ｂの略全面に熱圧着された足の３アーチＦを保たせるための凸形状を有するウレタン製の中間層部材１８０と、足裏全体の平面形状にされて、前記中間層部材１８０を含んで前記下層部材１７０の上面に熱圧着されたウレタン製の上層部材１９０とを有する。【選択図】図１
2018094135.tif 000002
【特許請求の範囲】
【請求項１】
踵側の裏面側にヒール（４５０）が設けられた本底（４００）に重ねられて足裏を受けるための中底であって、
当該中底の中底本体部（２２０）と、
足裏全体の平面形状にされて、前記中底本体部（２２０）の上面の全体に熱圧着されたウレタン製の下層部材（１７０）と、
前記中底本体部（２２０）の全外周囲を覆うように熱圧着されたコルクゴム部（１１０）と、
前記中底本体部（２２０）及び前記コルクゴム部（１１０）における中足部対応領域（１００Ｂ）の略全面に熱圧着されたウレタン製の中間層部材（１８０）と、
足裏全体の平面形状にされて、前記中間層部材（１８０）を含んで前記下層部材（１７０）の上面に熱圧着されたウレタン製の上層部材（１９０）と
を有することを特徴とする中底。
【請求項２】
前記下層部材（１７０）は、
前記中足部対応領域（１００Ｂ）以外は前記中底本体部（２２０）に対して一回り小さく形成されていることを特徴とする請求項１記載の中底。
【請求項３】
前記コルクゴム部（１１０）は、
前記中底本体部（２２０）の爪先部対応領域（１００Ｅ）の外周囲を覆う前記コルクゴム部（１１０）の領域を爪先部対応領域コルクゴム部（１１０Ｍ）とし、この爪先部対応領域コルクゴム部（１１０Ｍ）における外縁部（１１０Ｇ）を爪先部対応領域コルクゴム外縁部（１１０ＧＡ）とし、
この爪先部対応領域コルクゴム外縁部（１１０ＧＡ）は、
外側に向かうに従って次第に厚みが増加され、断面形状はこのコルクゴム上端エッジ（１１０Ｇａ）を頂点とする略三角形状にされていることを特徴とする請求項１又は２記載の中底。
【請求項４】
足の内側及び足の外側となる爪先部対応領域コルクゴム外縁部（１１０ＧＡ）の高さは、各々が同程度の高さにされていることを特徴とする請求項１乃至３のいずれかに記載の中底。
【請求項５】
前記コルクゴム部（１１０）は、
前記中底本体部（２２０）の中足部対応領域（１００Ｂ）の足の内側となる領域を中足部対応領域内側コルクゴム部（１１０Ｂｂ）とし、この中足部対応領域内側コルクゴム部（１１０Ｂｂ）における外縁部（１１０Ｇ）を中足部対応領域内側コルクゴム部（１１０Ｂｂ）とし、
中足部対応領域内側コルクゴム部（１１０Ｂｂ）は、
母趾球部対応領域（６０Ａ）の中心付近を通って中底中心線（Ｌ）に略平行となる内側縦アーチライン（ｆｂ）付近における厚みは、前記母趾球部対応領域（６０Ａ）の後端付近から次第に高さを増していき、前記中足部対応領域（１００Ｂ）の中央付近で最大の高さにされ、
この領域のコルクゴム上端エッジ（１１０Ｇａ）の高さは、前記内側縦アーチライン（ｆｂ）付近の高さよりも高くされていることを特徴とする請求項１乃至４のいずれかに記載の中底。
【請求項６】
前記中底本体部（２２０）は、
爪先部対応領域（１００Ｅ）の後付近から次第に高さを増していき、後足部（５０）に対応する後足部対応領域（１００Ｃ）の先頭付近から略水平になる縦断面形状であり、
当該中底本体部（２２０）の裏面の中底中心線（Ｌ）を基準にして当該中底本体部（２２０）の両端が上面側に向くように湾曲しており、
平面形状は、前記本底（４００）に対して横幅及び長さが一回り小さくされ、前記爪先部対応領域（１００Ｅ）の後ろ付近から両端が次第に狭まって前記中足部対応領域（１００Ｂ）の中央付近に至り、
この中央付近から両端の幅が略一定にされて前記後足部対応領域（１００Ｃ）の後端に至る形状にされ、
前記コルクゴム部（１１０）の前記本底（４００）に貼り付けられる裏面は、
前記中底本体部（２２０）と前記本底（４００）とを重ね合わせたときの前記本底（４００）に対して横幅及び長さが一回り小さくなるコルクゴム裏面本底貼付領域（１１０Ｈ）を有することを特徴とする請求項１乃至５のいずれかに記載の中底。
【請求項７】
前記中底本体部（２２０）は、
中底本体板（１４０）と補助板（１５０）とを含み、
前記中底本体板（１４０）の上面には、前記下層部材（１７０）が張り付けられ、この下層部材（１７０）の外周囲は、所定幅の下層部材周囲削領域（１７０Ｈ）で削られ、この下層部材周囲削領域（１７０Ｈ）に前記コルクゴム部（１１０）が張り付けられていることを特徴とする請求項１乃至６のいずれかに記載の中底。
【請求項８】
前記上層部材の表面に、不織布（１３０）が張り付けられていることを特徴とする請求項１乃至７のいずれかに記載の中底。
【請求項９】
踵側の裏面にヒール（４５０）を有する本底（４００）に重ねられて足裏を受けるための中底であって、
当該中底（７００）の中底本体部（２２０）と、
前記中底本体部（２２０）の全外周囲を覆うように熱圧着されたコルクゴム部（７１０）と、
前記中底本体部（２２０）の上面に、前記コルクゴム部（７１０）に挟まれてこのコルクゴム部（７１０）と共に熱圧着された発泡ゴム製の足受用部材（８００）と
を有することを特徴とする中底。
【請求項１０】
前記足受用部材（８００）は、
足のＩＰラインに対応する領域にＩＰライン用凸部（８１２）が設けられていることを特徴とする請求項９記載の中底。
【発明の詳細な説明】
【技術分野】
【０００１】
この発明は、女性用サンダルの中底に関する。
【背景技術】
【０００２】
例えば、靴のヒールが高い女性用サンダルは、一般に本底の上に中底を重ね、この中底の上にクッション性のある中敷きを貼り付け、さらに表層にビニール部材を貼り付けて形成する。
【０００３】
しかし、ヒールが高くなると足の前ずれが発生する。これを防止するための履物として特許文献１が開示されている。
【０００４】
特許文献１の履物は、ヒールサンダルの場合は、足の前ずれを防止するためにインソールの前足部の上に円形の凸形状の滑り止具を貼り付けて足の前ずれを防止している。
【先行技術文献】
【特許文献】
【０００５】
【特許文献１】特開２００５−１４３９３８号公報
【発明の概要】
【発明が解決しようとする課題】
【０００６】
しかしながら、足のずれは前ずれだけではなく、横ずれもある。ところが、特許文献１の履物は、前ずれを防止するだけである。
【０００７】
また、特許文献１の履物はインソールの前足部の上に円形の凸形状の滑り止具を貼り付けるものであるからデザイン性が損なわれる。
【０００８】
本発明は以上の課題を鑑みてなされたもので、足の前ずれ及び横ずれを防止できると共にサンダルシューズの形成時にサンダルシューズのデザイン性が損なわれないヒールサンダル用の中底を得ることを目的とする。
【課題を解決するための手段】
【０００９】
本発明は、踵側の裏面側にヒール（４５０）が設けられた本底（４００）に重ねられて足裏を受けるための中底である。
【００１０】
当該中底の中底本体部（２２０）と、
足裏全体の平面形状にされて、前記中底本体部（２２０）の上面の全体に熱圧着されたウレタン製の下層部材（１７０）と、
前記中底本体部（２２０）の全外周囲を覆うように熱圧着されたコルクゴム部（１１０）と、
前記中底本体部（２２０）及び前記コルクゴム部（１１０）における中足部対応領域（１００Ｂ）の略全面に熱圧着されたウレタン製の中間層部材（１８０）と、
足裏全体の平面形状にされて、前記中間層部材（１８０）を含んで前記下層部材（１７０）の上面に熱圧着されたウレタン製の上層部材（１９０）と
を備えたことを要旨とする。
【００１１】
また、本発明のサンダル用中底は、踵側の裏面にヒール（４５０）を有する本底（４００）に重ねられて足裏を受けるための中底であって、
当該中底（７００）の中底本体部（２２０）と、
前記中底本体部（２２０）の全外周囲を覆うように熱圧着されたコルクゴム部（７１０）と、
前記中底本体部（２２０）の上面に、前記コルクゴム部（７１０）に挟まれてこのコルクゴム部（７１０）と共に熱圧着された発泡ゴム製の足受用部材（８００）と
を備えたことを要旨とする。
【発明の効果】
【００１２】
以上のように、本発明の中底は、足がコルクゴム部（１１０）によって足が前及び横にずれるのを防止できる。
【００１３】
また、コルクゴム部（１１０）は硬いので表皮の貼り付けときは、コルクゴム部（１１０）がゆがまないのでサンダルシューズの形成時にサンダルシューズのデザイン性が損なわれることがない。
【図面の簡単な説明】
【００１４】
【図１】実施の形態のサンダル用中底１００の斜視図である。
【図２】図１のサンダル用中底１００のＡ矢視図（内側側面）である。
【図３】図１のサンダル用中底１００のＢ矢視図（外側側面）である。
【図４】図１のサンダル用中底１００のＣ矢視図（前側）である。
【図５】図１のサンダル用中底１００のＤ矢視図（後側）である。
【図６】図１のサンダル用中底１００の上面図である。
【図７】図１のサンダル用中底１００の構成部品の斜視図である。
【図８】図６のａ−ａ断面図である。
【図９】右足用のサンダル用中底１００の裏面図である。
【図１０】足の骨格を示した図９の裏面図である。
【図１１】右足用のサンダル用中底１００の上面図である。
【図１２】右足用の中底本体部２２０の上面図である。
【図１３】図１２の中底本体部２２０のＥ部の詳細断面図である。
【図１４】サンダル用中底１００の断面図である。
【図１５】サンダル用中底１００の断面図である。
【図１６】サンダル用中底１００の断面図である。
【図１７】サンダル用中底１００の断面図である。
【図１８】サンダル用中底１００の断面図である。
【図１９】サンダル用中底１００の断面図である。
【図２０】サンダル用中底１００の断面図である。
【図２１】サンダルの本底４００とサンダル用中底１００とを合体した場合の各部の断面図である。
【図２２】サンダルの本底４００とサンダル用中底１００とを合体した場合の斜視図である。
【図２３】他の中間層部材の斜視図である。
【図２４】実施の形態のサンダル用中底７００の斜視図である。
【図２５】サンダル用中底７００のＥ矢視図（内側側面）である。
【図２６】図２５のサンダル用中底７００の上面図である。
【図２７】サンダル用中底７００の構成部品の斜視図である。
【図２８】図２６のＧ−Ｇ断面図である。
【図２９】本実施の形態のサンダル用中底７００の裏面図である。
【図３０】足の骨格を示した図２９の裏面図である。
【図３１】右足用のサンダル用中底７００の上面図である。
【図３２】サンダル用中底７００の断面図（ｋ−ｋ）である。
【図３３】サンダル用中底７００の断面図（ｍ−ｍ）である。
【図３４】サンダル用中底７００の断面図（ｎ−ｎ）である。
【図３５】サンダル用中底７００の断面図（ｐ−ｐ）である。
【図３６】サンダル用中底７００の断面図（ｑ−ｑ）である。
【図３７】サンダル用中底７００の断面図（ｒ−ｒ）である。
【図３８】サンダル用中底７００の断面図（ｓ−ｓ）である。
【図３９】サンダル用中底７００の断面図（ｔ−ｔ）である。
【図４０】サンダルの本底４００とサンダル用中底７００とを合体した場合の各部の断面図である。
【図４１】本底４００とサンダル用中底７００とを合体した場合の斜視図である。
【発明を実施するための形態】
【００１５】
本実施の形態は、女性用のサンダルを一例として説明する。
【００１６】
＜実施の形態１＞
図１は実施の形態１のサンダル用中底１００の斜視図である。図２はサンダル用中底１００のＡ矢視図（内側側面）である。図３は図１のサンダル用中底１００のＢ矢視図（外側側面）である。
【００１７】
但し、サンダルは通常は、本底とヒールとが別になっているものと、本底とヒールとが一体となっている成型底というのがあるが、図１のサンダル用中底１００は、これらのサンダルにも適用できることを強調するために本底及びヒールについては図示しないで説明する。
【００１８】
図２及び図３に示すようにサンダル用中底１００は、外側側面に対して内側側面の方がコルクゴム部１１０の厚みがある。
【００１９】
図４は図１のサンダル用中底１００のＣ矢視図（前側）である。図５は図１のサンダル用中底１００のＤ矢視図（後側）である。図４及び図５には後述する中底中心線Ｌ（●印で示している）を示している。
【００２０】
図４及び図５に示すように、中底中心線Ｌを基準にして後述する中底本体部２２０の裏面は、両端が上側に向くように湾曲している。
【００２１】
図６は図１のサンダル用中底１００の上面図である。図７は図１のサンダル用中底１００の構成部品の斜視図である。
【００２２】
サンダル用中底１００は、図１〜図６に示すように、周囲をコルクゴム部１１０（ウレタンが２０％程度混入）で覆っている。このコルクゴム部１１０のエッジは足裏周囲の縁を囲むために端を立ち上げている。つまり、足受部１２０の全体が略凹形状になるようにされている。
【００２３】
また、図２〜図５に示すように、中足部対応領域１００Ｂの足の内側となる面は厚みがある。
【００２４】
このコルクゴム部１１０は、図７に示すように、不織布１３０及び後述するウレタン製の中間層部材１８０並びに上層部材１９０の下に設けられているが図１及び図６においては、不織布１３０及びウレタン製の中間層部材１８０並びに上層部材１９０を省略してコルクゴム部１１０を点線で強調している。
【００２５】
図１に示すように、サンダル用中底１００の足受部１２０は足裏に対応している。
【００２６】
このサンダル用中底１００における足１の前足部１０に対応する領域を前足部対応領域１００Ａと称し、中足部３０に対応する領域を中足部対応領域１００Ｂと称し、後足部５０に対応する領域を後足部対応領域１００Ｃと称する。
【００２７】
また、前足部対応領域１００Ａから先端までは先端部領域１００Ｄと称する。この先端部領域１００Ｄ及び前足部対応領域１００Ａを総称して爪先部対応領域１００Ｅと称する。
【００２８】
前述の足１の前足部１０は、図１に示すように、第１末節骨１１と、第２末節骨１２と、第３末節骨１３と、第４末節骨１４と、第５末節骨１５と、第２中節骨１６と、第３中節骨１７と、第４中節骨１８と、第５中節骨１９と、第１基節骨２０と、第２基節骨２１と、第３基節骨２２と、第４基節骨２３と、第５基節骨２４とからなる範囲をいう。
【００２９】
中足部３０は、第１中足骨３１と、第２中足骨３２と、第３中足骨３３と、第４中足骨３４と、第５中足骨３５と、内側楔状骨３６と、中央楔状骨３７と、外側楔状骨３８と、立方骨３９と、舟状骨４０とからなる範囲をいう。また、後足部５０は、距骨５１と、踵骨５２とからなる範囲をいう。
【００３０】
なお、実施の形態では、足の骨格は解剖学的な名称を用いないで、義肢装具等の製造業界で使用している名称で示している。
【００３１】
また、足１というのは図１に示すように、３アーチＦ（横アーチＦＡ、内側縦アーチＦＢ、外側縦アーチＦＣ）を維持することが重要である。横アーチＦＡが崩れてくると、開帳足、外反母趾になる傾向にある。また、外側縦アーチＦＣが崩れてくると、姿勢が崩れる傾向にある。内側縦アーチＦＢが崩れてくると偏平足になる傾向にある。
【００３２】
このため、足の３アーチＦを維持するためのウレタン製の後述する中間層部材１８０を中足部対応領域１００Ｂに設けている。
【００３３】
また、図１においては、後述する内側縦アーチラインｆｂと、中央縦アーチラインｆｄと、外側縦アーチラインｆｃとを示している。
【００３４】
また、図６に示すように、コルクゴム部１１０は、爪先部対応領域コルクゴム部１１０Ｍと、中足部対応領域内側コルクゴム部１１０Ｂｂと、中足部対応領域外側コルクゴム部１１０Ｂａと、後足部対応領域コルクゴム部１１０Ｃとから構成されている。
【００３５】
爪先部対応領域コルクゴム部１１０Ｍは、中底本体部２２０の爪先部対応領域１００Ｅの外周囲を覆うコルクゴム部１１０の領域である。
【００３６】
中足部対応領域内側コルクゴム部１１０Ｂｂは、中底本体部２２０の中足部対応領域１００Ｂの足の内側となる領域である。
【００３７】
中足部対応領域外側コルクゴム部１１０Ｂａは、中底本体部２２０の中足部対応領域１００Ｂの足の外側となる領域を中足部対応領域外側コルクゴム部１１０Ｂａである。
【００３８】
後足部対応領域コルクゴム部１１０Ｃは、後足部対応領域１００Ｃにおける領域である。
【００３９】
次に本実施の形態１のサンダル用中底１００の構成部品について図７を用いて説明する。
【００４０】
図７に示すようにサンダル用中底１００は、補助板１５０と、シャンク１６０と、中底本体板１４０と、下層部材１７０（ウレタン製）と、コルクゴム部１１０と、３アーチを形成させるための中間層部材１８０と、ウレタン製の上層部材１９０と、不織布１３０とで構成されている。
【００４１】
前述の補助板１５０とシャンク１６０と中底本体板１４０とを総称して本実施の形態１においては中底本体部２２０と称する。
【００４２】
また、中間層部材１８０は、図７に示すように、図１に示す横アーチＦＡを形成させるための横アーチ用凸部１８２と、内側縦アーチＦＢを形成するための内側縦アーチ用凸部１８４とを形成している。
【００４３】
なお、外側縦アーチＦＣを形成するための外側縦アーチ用凸部１８６はコルクゴム部１１０と下層部材１７０とで形成している。
【００４４】
前述の補助板１５０は、パルプ製であり、中底本体板１４０に対して補助板１５０が硬度は高く、また厚みもある。
【００４５】
図８は図６のａ−ａ断面図である。図８においては足１の断面は、右足をサンダル用中底１００の上に載置して、右足の内側となる足１の親指から右足の後端を見た場合の骨格を示して説明する。
【００４６】
図８に示すように、中底本体部２２０は、爪先部対応領域１００Ｅの後付近から次第に高さを増していき、後足部５０に対応する後足部対応領域１００Ｃの先頭付近から略水平になる縦断面形状である。
【００４７】
そして、図８に示すように、実施の形態１のサンダル用中底１００は、補助板１５０と中底本体板１４０との間に鋼鉄製のシャンク１６０を介在させられ、この中底本体板１４０の上にウレタン製の下層部材１７０が張り付けられている。
【００４８】
そして、この下層部材１７０の上に中間層部材１８０が張り付けられ、さらにこの中間層部材１８０の上に上層部材１９０が張り付けられている。この上層部材１９０の上にはさらに最上層部材として不織布１３０を貼り付けている。
【００４９】
また、サンダル用中底１００の中底本体板１４０の先端及び下層部材１７０の先端（以下総称して中底本体部先端２２０ａという）と、中底本体板１４０の後端及び下層部材１７０の後端（以下総称して中底本体部後端２２０ｂという）とはコルクゴム部１１０によって囲まれている。これらは、金型によって熱圧着成型している。
【００５０】
一方、図８に示すように、中間層部材１８０は、第１中足骨３１の中央付近から次第に厚みを増して踵骨５２の先端付近から低くなって踵の後端側（以下後足部後端５０ｂ側という）に至るようにされている。つまり、図８に示すように、足裏の先端（以下前足部先端１０ａという）から後足部後端５０ｂ（踵部の後端）までがコルクゴム部１１０で囲まれた足受部１２０を形成している。
【００５１】
すなわち、実施の形態１のサンダル用中底１００は、周囲を硬度が高いコルクゴム部１１０で形成しているので、サンダルの表皮を巻き付けた場合はエッジが綺麗に出るのでデザイン性が損なわれることがないと共に、足の横ずれ及び前ずれを防止できる。
【００５２】
また、表面は不織布１３０を貼り付けているので足裏の汗を吸い取ることができると共に、足１のずれをさらに防止できる。
【００５３】
図９は右足用のサンダル用中底１００の裏面図である。図１０は足の骨格を示した裏面図である。
【００５４】
図９に示すように、サンダル用中底１００は、裏面も周囲がコルクゴム部１１０で囲まれている。そして、中底本体板１４０には、この中底本体板１４０を抑えるための中底本体板押用孔１４１（１４１ａ、１４１ｂ）が形成され、補助板１５０にも補助板押用孔１５１(１５１ａ、１５１ｂ)が形成されている。
【００５５】
また、コルクゴム部１１０の裏面はコルクゴム裏面エッジ１１０ａが形成されている。このコルクゴム裏面エッジ１１０ａは、本底（図示せず）の幅及び長さに対応する。
【００５６】
また、図１０には、ＩＰラインとＭＰラインを示している。ＩＰラインは、第１末節骨１１と第１基節骨２０との接続箇所と、第２中節骨１６と第２基節骨２１の接続箇所と、第３中節骨１７と第３基節骨２２の接続箇所と、第４中節骨１８と第４基節骨２３の接続箇所と、第５中節骨１９と第５基節骨２４の接続箇所とを通るラインである。
【００５７】
ＭＰラインは、第１基節骨２０と第１中足骨３１との接続箇所と、第２基節骨２１と第２中足骨３２との接続箇所と、第３基節骨２２と第３中足骨３３との接続箇所と、第４基節骨２３と第４中足骨３４との接続箇所と、第５基節骨２４と第５中足骨３５との接続箇所とを通るラインである。
【００５８】
さらに、図１０には母趾球部６０と、小趾球部６５とを示している。この母趾球部６０に対応する領域を母趾球部対応領域６０Ａと称し、小趾球部６５に対応する領域を小趾球部対応領域６５Ａと称する。
【００５９】
（中間層部材）
図１１は右足用のサンダル用中底１００の上面図である。図１１においては、右足を右足用のサンダル用中底１００に置いて上からみたときの右足の骨格を示している。また、上層部材１９０、不織布１３０、下層部材１７０は省略している。
【００６０】
図１１に示すように中間層部材１８０の先端（以下中間層部材先端１８０Ａという）は、第１中足骨３１の骨頭の後付近の当該サンダル用中底１００における足の内側となる端１００ｈ１、第１中足骨３１のさらに後付近、第２中足骨３２の骨頭の骨頭の後付近、第３中足骨３３の後付近、第４中足骨３４の後付近、第５中足骨３５の後付近を通って当該サンダル用中底１００の足の外側となる端１００ｈ２に至っている。
【００６１】
また、中間層部材１８０の後端（以下中間層部材後端１８０Ｂという）は、踵骨５２の前側の当該サンダル用中底１００の足の内側となる端１００ｈ３から略直線状に足の外側となる端１００ｈ４に至っている。
【００６２】
さらに、図１１には、内側縦アーチラインｆｂを示している。内側縦アーチラインｆｂは図１１に示すように、母趾球部６０の中心付近を通り、かつ中底中心線Ｌに略平行なラインである。
【００６３】
（中底本体部２２０の形状）
図１２は右足用の中底本体部２２０の上面図である。但し、図１２においてはサンダルの本底４００の平面形状も示す。図１３は図１２の中底本体部２２０のＥ部の詳細断面図である。図１３（ａ）には、図１２の中底本体部２２０のＥ１部分の拡大図を示し、図１３（ｂ）には図１２の中底本体部２２０のＥ２部分の拡大図を示し、図１３（ｂ）には図１２の中底本体部２２０のＥ３部分の拡大図を示す。
【００６４】
図１２に示すように、中底本体部２２０は、サンダルの本底４００に対して全体的に一回り小さくされている。具体的には本底４００に対して２．０ｍｍ〜３．０ｍｍ程度（好ましくは２．５ｍｍ）だけ小さい（図１３参照）。
【００６５】
この一回り小さくされている領域を本実施の形態では、コルクゴム裏面本底貼付領域１１０Ｈと称する。
【００６６】
また、中底本体部２２０の中底本体板１４０に貼り付けられている爪先部対応領域１００Ｅにおける下層部材１７０の周囲は所定幅で削られている。この削られている領域を本実施の形態１では下層部材周囲削領域１７０Ｈと称する。
【００６７】
次に、図１３を用いてコルクゴム裏面本底貼付領域１１０Ｈ及び下層部材周囲削領域１７０Ｈ等を詳細に説明する。
【００６８】
図１３（ａ）に示すように、爪先部対応領域１００Ｅにおける中底本体部２２０のＥ１の部分は、中底本体板１４０と下層部材１７０とからなり、下層部材１７０の周囲は所定幅で削られている（下層部材周囲削領域１７０Ｈ）。また、コルクゴム部１１０の端の上端をコルクゴム上端エッジ１１０Ｇａと称する。
【００６９】
すなわち、この下層部材周囲削領域１７０Ｈによってコルクゴム部１１０が中底本体部２２０の中底本体板１４０に圧着されやすいようにしている。
【００７０】
但し、中間層部材１８０の中足部対応領域１００Ｂにおける足の外側となる部分は削られていない（図１３（ｃ）参照）。
【００７１】
例えば、図１３（ａ）及び図１３（ｂ）に示すように、Ｅ１及びＥ２の部分では下層部材１７０は、中底本体板縁１４０ｅから１．５ｍｍ程度（１．０〜２．０ｍｍ：好ましくは１．５ｍｍ）だけ削られた下層部材周囲削領域１７０Ｈとなっており、また、図１３（ｃ）に示すように、Ｅ３の部分では下層部材１７０は下層部材周囲削領域１７０Ｈが形成されていない。この下層部材周囲削領域１７０Ｈは、３．０ｍｍ〜５．０ｍｍであっても構わない。
【００７２】
なお、中底本体板１４０の縁を中底本体板縁１４０ｅと称し、補助板１５０の縁を補助板縁１５０ｅと称する。また、下層部材１７０の縁を下層部材縁１７０ｅと称する。
【００７３】
この中底本体板縁１４０ｅと補助板縁１５０ｅと下層部材縁１７０ｅと下層部材周囲削領域１７０Ｈ又は中底本体板縁１４０ｅと下層部材縁１７０ｅと下層部材周囲削領域１７０Ｈとはコルクゴムが付着される領域であるから総称してコルクゴム付着領域１１０Ｆと称する。
【００７４】
（各断面の説明）
次に、図１４〜図２０を用いて実施の形態１のサンダル用中底１００の各断面を説明する。図１４〜図１６は爪先部対応領域１００Ｅの断面を示し、図１７〜図１９は中足部対応領域１００Ｂの断面を示し、図２０は後足部対応領域１００Ｃの断面を示す。
【００７５】
図１４は図６のサンダル用中底１００のｂ−ｂ断面であり前足部対応領域１００Ａの前方付近である。
【００７６】
図１５は図６のサンダル用中底１００のｃ−ｃ断面であり前足部対応領域１００Ａにおけるｂ−ｂ断面よりやや後方付近である。
【００７７】
図１６は図６のサンダル用中底１００のｄ−ｄ断面であり、前足部対応領域１００Ａにおける最も横幅がある付近である。
【００７８】
図１７は図６のサンダル用中底１００のｅ−ｅ断面であり、中足部対応領域１００Ｂの前付近である。
【００７９】
図１８は図６のサンダル用中底１００のｆ−ｆ断面であり、図６のｅ−ｅ断面よりやや後方の断面である。
【００８０】
図１９は図６のサンダル用中底１００のｇ−ｇ断面であり、中足部対応領域１００Ｂにおける後足部対応領域に近い部分の断面である。なお、図１７〜図１９には内側縦アーチラインｆｂを記載している。
【００８１】
図２０（ａ）は後足部対応領域１００Ｃにおけるｒ−ｒ断面であり、踵部の前方付近の断面である。図２０（ｂ）は後足部対応領域１００Ｃにおけるｉ−ｉ断面であり、踵部中心付近の断面である。
【００８２】
なお、中底本体板１４０の端とコルクゴム部１１０と下層部材１７０の端と中間層部材１８０の端（中足部対応領域のみ）と上層部材１９０の端と不織布１３０の端とを外縁部１１０Ｇと称する。
【００８３】
そして、外縁部１１０Ｇは、爪先部対応領域コルクゴム部１１０Ｍにおける外縁部１１０Ｇを図１４〜図１６に示すように、爪先部対応領域コルクゴム外縁部１１０ＧＡと称する。
【００８４】
また、中足部対応領域内側コルクゴム部１１０Ｂｂにおける外縁部１１０Ｇを図１７〜図１９に示すように中足部対応領域内側コルクゴム外縁部１１０ＧＢｂと称する。
【００８５】
さらに、中足部対応領域外側コルクゴム部１１０Ｂａにおける外縁部１１０Ｇを中足部対応領域外側コルクゴム外縁部１１０ＧＢａと称する。
【００８６】
さらに、図２０に示すように、後足部対応領域コルクゴム部１１０Ｃにおける外縁部１１０Ｇを後足部対応領域コルクゴム外縁部１１０ＧＣと称する。
【００８７】
（爪先部対応領域１００Ｅ）
図１４のｂ−ｂ断面では、中底本体板１４０（厚みは２．１０〜２．３０ｍｍ：好ましくは２．２０ｍｍ）が最下層であり、この中底本体板１４０の上に下層部材１７０が重ねられている。また、中底本体板１４０の幅は、５０．５ｍｍ程度（５０．０ｍｍ〜５１．０：好ましくは５０．５ｍｍ）である。
【００８８】
そして、この下層部材１７０の上に上層部材１９０が重ねられ、さらにこの上に不織布１３０が重ねられている。
【００８９】
この部分は、下層部材１７０の厚みは、０．５０ｍｍ程度（０．４５〜０．５５ｍｍ：好ましくは０．５０ｍｍ）にされ、上層部材１９０は１．５ｍｍ程度（１．００〜２．０００ｍｍ：好ましくは１．５ｍｍ）にされている。
【００９０】
この部分の爪先部対応領域コルクゴム外縁部１１０ＧＡにおける爪先部対応領域コルクゴム部１１０Ｍは、中底本体部２２０の両端のコルクゴム付着領域１１０Ｆに熱圧着され、外側に向かって次第に高くなるようにされている。
【００９１】
また、この部分の両端（足の外側となる端及び内側となる端）の爪先部対応領域コルクゴム外縁部１１０ＧＡの厚みは中底本体板１４０の下面から各々３．８ｍｍ程度（３．５０〜４．０ｍｍ：好ましくは３．８ｍｍ）にされ、幅は、各々中底本体板１４０の中底本体板縁１４０ｅから５．０ｍｍ程度（４．５０〜５．５ｍｍ：好ましくは５．０ｍｍ）にされている。
【００９２】
また、この部分の両端の爪先部対応領域コルクゴム外縁部１１０ＧＡのコルクゴム裏面エッジ１１０ａと中底本体板縁１４０ｅとの間隔であるコルクゴム裏面本底貼付領域１１０Ｈは、２．５ｍｍ程度（２．０〜３．０ｍｍ：好ましくは２．５ｍｍ）にされている。
【００９３】
図１５のｃ−ｃ断面では、図１４と同様に、中底本体板１４０（厚みは２．１０〜２．３０ｍｍ：好ましくは２．２０ｍｍ）が最下層であり、この中底本体板１４０の上に下層部材１７０が重ねられている。
【００９４】
また、ｃ−ｃ断面における中底本体板１４０の幅は、図１５に示すように６４．５ｍｍ程度（６４．０ｍｍ〜６５．０：好ましくは６４．５ｍｍ）である。
【００９５】
そして、この下層部材１７０の上に上層部材１９０が重ねられ、さらにこの上に不織布１３０が重ねられている。
【００９６】
この部分は、下層部材１７０の厚みは、０．５０ｍｍ程度（０．４５〜０．５５ｍｍ：好ましくは０．５０ｍｍ）にされ、上層部材１９０は１．５ｍｍ程度（１．００〜２．０００ｍｍ：好ましくは１．５ｍｍ）にされている。
【００９７】
また、この部分の爪先部対応領域コルクゴム外縁部１１０ＧＡは、図１４と同様に、端に向かって次第に高くなるようにされている。
【００９８】
そして、この部分の両端の爪先部対応領域コルクゴム外縁部１１０ＧＡの厚みは中底本体板１４０の下面から４．０ｍｍ程度（３．９５〜４．１ｍｍ：好ましくは４．０ｍｍ）にされ、幅は、中底本体板１４０の中底本体板縁１４０ｅから５．０ｍｍ程度（４．５０〜５．５ｍｍ：好ましくは５．０ｍｍ）にされている。
【００９９】
また、この部分の足の内側となる爪先部対応領域コルクゴム外縁部１１０ＧＡのコルクゴム裏面エッジ１１０ａと中底本体板縁１４０ｅとの間隔であるコルクゴム裏面本底貼付領域１１０Ｈは、ｂ−ｂ断面と同様に、２．５ｍｍ程度（２．０〜３．０ｍｍ：好ましくは２．５ｍｍ）にされている。
【０１００】
図１６のｄ−ｄ断面では、補助板１５０が最下層となっている。この部分は補助板１５０の先端付近であるから中底本体板１４０よりも薄くなっている。例えば、１．０ｍｍ程度（０．８ｍｍ〜１．２ｍｍ程度：好ましくは１．０ｍｍ程度）にされている。そして、この補助板１５０の上に中底本体板１４０が重ねられ、中底本体板１４０の上に、下層部材１７０が重ねられ、下層部材１７０の上に不織布１３０が重ねられている。
【０１０１】
また、ｃ−ｃ断面における中底本体板１４０の幅は、図１６に示すように７５．０ｍｍ程度（７４．５ｍｍ〜７５．５：好ましくは７５．０ｍｍ）であり、最も横幅が大きい個所である。
【０１０２】
この部分の爪先部対応領域コルクゴム外縁部１１０ＧＡは、図１４と同様に、端に向かって次第に高くなるようにされている。
【０１０３】
そして、この部分の両端の爪先部対応領域コルクゴム外縁部１１０ＧＡの厚みは補助板１５０の下面から４．０ｍｍ程度（３．９５〜４．１ｍｍ：好ましくは４．０ｍｍ）にされ、幅は、中底本体板縁１４０ｅ及び補助板縁１５０ｅから５．０ｍｍ程度（４．５０〜５．５ｍｍ：好ましくは５．０ｍｍ）にされている。
【０１０４】
すなわち、図１４〜図１６に示すように、爪先部対応領域１００Ｅは、爪先部対応領域コルクゴム外縁部１１０ＧＡが端に向かうに従って次第に厚みが増加され、断面形状はこのコルクゴム上端エッジ１１０Ｇａを頂点とする略三角形状にされている。
【０１０５】
従って、前足部１０の親指から小指がこの両端の爪先部対応領域コルクゴム外縁部１１０ＧＡによって囲まれて足受部１２０に載置することになり、前足部１０の横ずれ前ずれを防止できている。
【０１０６】
また、この部分の両端の爪先部対応領域コルクゴム外縁部１１０ＧＡのコルクゴム裏面エッジ１１０ａと補助板縁１５０ｅとの間隔であるコルクゴム裏面本底貼付領域１１０Ｈは、２．５ｍｍ程度（２．０〜３．０ｍｍ：好ましくは２．５ｍｍ）にされている。
【０１０７】
（中足対応領域）
図１７は、図６のサンダル用中底１００のｅ−ｅ断面であり、母趾球部６０〜小趾球部６５の部分に対応する。
【０１０８】
そして、この部分は、図１６と同様に、補助板１５０が最下層である。但し、この部分の補助板１５０の厚みは、３．５ｍｍ程度（３．０〜４．０ｍｍ：好ましくは３．５ｍｍ）にされている。
【０１０９】
そして、補助板１５０の上に中底本体板１４０が重ねられ、中底本体板１４０の上の下層部材１７０が重ねられている。
【０１１０】
また、ｅ−ｅ断面における補助板１５０及び中底本体板１４０の横幅は、図１７に示すように、４４．０ｍｍ程度（４３．５〜４４．５ｍｍ：好ましくは４４．０ｍｍ）にされている。
【０１１１】
そして、この下層部材１７０の上に中間層部材１８０が重ねられている。また、ｅ−ｅ断面には横アーチ用凸部１８２の一部が存在していることを示す。
【０１１２】
そして、中間層部材１８０の上に上層部材１９０が重ねられ、上層部材１９０の上に不織布１３０が重ねられている。
【０１１３】
また、図１７に示すように、の両端には、コーナとなる外縁部１１０Ｇ（１１０ＧＢａ、１１０ＧＢｂ）が形成され、端に向かって次第に高さを増している。
【０１１４】
そして、足の内側となる中足部対応領域内側コルクゴム外縁部１１０ＧＢｂの厚みは補助板１５０の下面から７．０ｍｍ程度（６．５〜７．５ｍｍ：好ましくは７．０ｍｍ）にされ、幅は、中底本体板１４０の中底本体板縁１４０ｅから７．０ｍｍ程度（６．５〜７．５ｍｍ：好ましくは７．０ｍｍ）にされている。
【０１１５】
また、足の外側となる中足部対応領域外側コルクゴム外縁部１１０ＧＢａの厚みは補助板１５０の下面から６．０ｍｍ程度（５．５〜６．５ｍｍ：好ましくは６．０ｍｍ）にされ、幅は、中底本体板縁１４０ｅ及び補助板縁１５０ｅから５．５ｍｍ程度（５．０〜６．０ｍｍ：好ましくは５．５ｍｍ）にされている。
【０１１６】
また、この部分の足の内側となる中足部対応領域内側コルクゴム外縁部１１０ＧＢｂのコルクゴム裏面エッジ１１０ａと補助板縁１５０ｅとの間隔であるコルクゴム裏面本底貼付領域１１０Ｈは、１．０ｍｍ程度（０．５〜１．５ｍｍ：好ましくは１．０ｍｍ）にされている。
【０１１７】
さらに、この部分の足の外側となる中足部対応領域外側コルクゴム外縁部１１０ＧＢａのコルクゴム裏面エッジ１１０ａと補助板縁１５０ｅとの間隔であるコルクゴム裏面本底貼付領域１１０Ｈは、２．５ｍｍ程度（２．０〜３．０ｍｍ：好ましくは２．０ｍｍ）にされている。
【０１１８】
図１８は、図６のサンダル用中底１００のｆ−ｆ断面である。
【０１１９】
そして、この部分は、図１７と同様に、補助板１５０が最下層であり、厚みも同様である。
【０１２０】
そして、補助板１５０の上に中底本体板１４０が重ねられ、中底本体板１４０の上の下層部材１７０が重ねられている。
【０１２１】
また、ｆ−ｆ断面における補助板１５０及び中底本体板１４０の横幅は、図１８に示すように、３６．０ｍｍ程度（３５．５〜３６．５ｍｍ：好ましくは３６．０ｍｍ）にされている。
【０１２２】
そして、この下層部材１７０の上に中間層部材１８０が重ねられ、中間層部材１８０の上に上層部材１９０が重ねられ、上層部材１９０の上に不織布１３０が重ねられている。この部分の上層部材１９０の厚みは、中足部の土踏まずを支える領域であるからクッション性を兼ねて厚くされている。
【０１２３】
また、図１８に示すように、の両端には、コーナである外縁部１１０Ｇ（１１０ＧＢａ、１１０ＧＢｂ）が形成され、端に向かって次第に厚みを増している。
【０１２４】
そして、足の内側となる中足部対応領域内側コルクゴム外縁部１１０ＧＢｂの厚みは補助板１５０の下面から８．５ｍｍ程度（７．５〜８．５ｍｍ：好ましくは７．５ｍｍ）にされ、幅は、中底本体板縁１４０ｅ及び補助板縁１５０ｅから９．０ｍｍ程度（８．５〜９．５ｍｍ：好ましくは９．０ｍｍ）にされている。
【０１２５】
また、足の外側となる中足部対応領域外側コルクゴム外縁部１１０ＧＢａの厚みは補助板１５０の下面から６．５ｍｍ程度（６．０〜７．５ｍｍ：好ましくは６．５ｍｍ）にされ、幅は、中底本体板縁１４０ｅ及び補助板縁１５０ｅから７．０ｍｍ程度（６．５〜７．５ｍｍ：好ましくは７．０ｍｍ）にされている。
【０１２６】
また、この部分の足の内側となる中足部対応領域内側コルクゴム外縁部１１０ＧＢｂのコルクゴム裏面エッジ１１０ａと補助板縁１５０ｅとの間隔であるコルクゴム裏面本底貼付領域１１０Ｈは、１．０ｍｍ程度（０．５〜１．５ｍｍ：好ましくは１．０ｍｍ）にされている。
【０１２７】
さらに、この部分の足の外側となる中足部対応領域外側コルクゴム外縁部１１０ＧＢａのコルクゴム裏面エッジ１１０ａと補助板縁１５０ｅとの間隔であるコルクゴム裏面本底貼付領域１１０Ｈは、３．０ｍｍ程度（２．５〜３．５ｍｍ：好ましくは３．０ｍｍ）にされている。
【０１２８】
図１９は、図６のサンダル用中底１００のｇ−ｇ断面である。
【０１２９】
そして、この部分は、図１７及び図１８と同様に、補助板１５０が最下層であり、厚みも同様である。
【０１３０】
そして、補助板１５０の上に中底本体板１４０が重ねられ、中底本体板１４０に下層部材１７０が重ねられ、この下層部材１７０の上に、中間層部材１８０が重ねられている。さらに、この中間層部材１８０の上に上層部材１９０が重ねられ、この上層部材１９０の上に不織布１３０が張り付けられている。
【０１３１】
また、ｇ−ｇ断面における補助板１５０及び中底本体板１４０の横幅は、図１９に示すように、３７．０ｍｍ程度（３６．５〜３７．５ｍｍ：好ましくは３７．０ｍｍ）にされている。
【０１３２】
そして、この部分の上層部材１９０の厚みは、中足部対応領域１００Ｂの後方となる部分であるから中央付近所はｆ―ｆ断面における厚み対してやや薄くなっている。
【０１３３】
また、図１９に示すように、の両端には、コーナである外縁部１１０Ｇ（１１０ＧＢａ、１１０ＧＢｂ）が形成され、端に向かうに従って次第に厚みを増している。
【０１３４】
図１９に示すように、足の内側の中足部対応領域内側コルクゴム外縁部１１０ＧＢｂは、外側に向かって次第に厚みを増し、内側縦アーチラインｆｂ付近から次第に厚みを低下させた後に再び高さを増している。
【０１３５】
そして、足の内側となる中足部対応領域内側コルクゴム外縁部１１０ＧＢｂの厚みは補助板１５０の下面から８．５ｍｍ程度（７．５〜８．５ｍｍ：好ましくは７．５ｍｍ）にされ、幅は、中底本体板縁１４０ｅ及び補助板縁１５０ｅから９．０ｍｍ程度（８．５〜９．５ｍｍ：好ましくは９．０ｍｍ）にされている。
【０１３６】
また、この部分の足の内側となる中足部対応領域内側コルクゴム外縁部１１０ＧＢｂのコルクゴム裏面エッジ１１０ａと補助板縁１５０ｅとの間隔であるコルクゴム裏面本底貼付領域１１０Ｈは、２．０ｍｍ程度（１．５〜２．５ｍｍ：好ましくは２．０ｍｍ）にされている。
【０１３７】
さらに、この部分の足の外側となる中足部対応領域外側コルクゴム外縁部１１０ＧＢａのコルクゴム裏面エッジ１１０ａと補助板縁１５０ｅとの間隔であるコルクゴム裏面本底貼付領域１１０Ｈは、２．５ｍｍ程度（２．０〜３．０ｍｍ：好ましくは２．５ｍｍ）にされている。
【０１３８】
すなわち、中足部対応領域１００Ｂは、母趾球部の中心付近を通って中底中心線Ｌに略平行な内側縦アーチラインｆｂ付近は、母趾球部６０から次第に厚みを増してｆ−ｆ断面付近で最大の厚みとなっている。
【０１３９】
（後足部対応領域）
図２０（ａ）は、図６のサンダル用中底１００のｈ−ｈ断面であり、後足部対応領域の前側付近である。この部分は、図１９と同様に、補助板１５０が最下層であり、厚みは、３．５ｍｍ程度（３．０〜４．０ｍｍ：好ましくは３．５ｍｍ）にされている。
【０１４０】
そして、この補助板１５０の上に中底本体板１４０が圧着され、この中底本体板１４０に下層部材１７０が圧着され、下層部材１７０の上に中間層部材１８０が熱圧着されている。そして、この中間層部材１８０の上に上層部材１９０が熱圧着され、上層部材１９０の上に不織布１３０が張り付けられている。そして、両端のコルクゴム部１１０は端に向かって次第に高さを増している。
【０１４１】
また、ｈ−ｈ断面における補助板１５０及び中底本体板１４０の横幅は、図２０に示すように、４０．０ｍｍ程度（３９．０〜４１．０ｍｍ：好ましくは４０．０ｍｍ）にされている。
【０１４２】
そして、足の内側となる後足部対応領域コルクゴム外縁部１１０ＧＣにおけるコルクゴム部１１０の厚みは補助板１５０の下面から８．０ｍｍ程度（７．５〜８．５ｍｍ：好ましくは８．０ｍｍ）にされ、幅は、中底本体板縁１４０ｅ及び補助板縁１５０ｅから５．０ｍｍ程度（４．５〜５．５ｍｍ：好ましくは５．０ｍｍ）にされている。
【０１４３】
また、この部分の足の内側となる後足部対応領域コルクゴム外縁部１１０ＧＣのコルクゴム裏面エッジ１１０ａと補助板縁１５０ｅとの間隔であるコルクゴム裏面本底貼付領域１１０Ｈは、１．０ｍｍ程度（０．５〜１．５ｍｍ：好ましくは１．０ｍｍ）にされている。
【０１４４】
一方、図２０（ａ）に示すように、足の外側となる後足部対応領域コルクゴム外縁部１１０ＧＣにおけるコルクゴム部１１０の厚みは補助板１５０の下面から７．０ｍｍ程度（６．５〜７．５ｍｍ：好ましくは７．０ｍｍ）にされ、幅は、中底本体板縁１４０ｅ及び補助板縁１５０ｅから６．０ｍｍ程度（５．５〜６．５ｍｍ：好ましくは６．０ｍｍ）にされている。
【０１４５】
また、図２０（ａ）に示すように、足の外側となる後足部対応領域コルクゴム外縁部１１０ＧＣにおけるコルクゴム部１１０のコルクゴム裏面エッジ１１０ａと補助板縁１５０ｅとの間隔であるコルクゴム裏面本底貼付領域１１０Ｈは、２．０ｍｍ程度（１．５〜２．５ｍｍ：好ましくは２．０ｍｍ）にされている。
【０１４６】
図２０（ｂ）は図６のｉ−ｉ断面であり、後足部対応領域における足の踵部中央付近である。
【０１４７】
この部分は、図２０（ａ）と同様に、補助板１５０が最下層であり、厚みは、３．５ｍｍ程度（３．０〜４．０ｍｍ：好ましくは３．５ｍｍ）にされている。
【０１４８】
そして、補助板１５０の上に中底本体板１４０が圧着され、この中底本体板１４０に下層部材１７０が圧着され、下層部材１７０の上に上層部材１９０が熱圧着され、上層部材１９０の上に不織布１３０が張り付けられている。
【０１４９】
そして、両端のコルクゴム部１１０は端に向かって次第に高さを増している。
【０１５０】
また、ｉ−ｉ断面における補助板１５０及び中底本体板１４０の横幅は、図２０（ｂ）に示すように、４２．０ｍｍ程度（４１．０〜４３．０ｍｍ：好ましくは４２．０ｍｍ）にされている。
【０１５１】
そして、足の内側となる後足部対応領域コルクゴム外縁部１１０ＧＣ及び足の外側となる後足部対応領域コルクゴム外縁部１１０ＧＣの各々の厚みは補助板１５０の下面から７．０ｍｍ程度（６．５〜７．５ｍｍ：好ましくは７．０ｍｍ）にされ、幅は、中底本体板縁１４０ｅ及び補助板縁１５０ｅから５．０ｍｍ程度（４．５〜５．５ｍｍ：好ましくは５．０ｍｍ）にされている。
【０１５２】
また、この部分の足の内側となる後足部対応領域コルクゴム外縁部１１０ＧＣのコルクゴム裏面エッジ１１０ａと補助板縁１５０ｅとの間隔であるコルクゴム裏面本底貼付領域１１０Ｈは、１．０ｍｍ程度（０．５〜１．５ｍｍ：好ましくは１．０ｍｍ）にされている。
【０１５３】
さらに、この部分の足の外側となる後足部対応領域コルクゴム外縁部１１０ＧＣのコルクゴム裏面エッジ１１０ａと補助板縁１５０ｅとの間隔であるコルクゴム裏面本底貼付領域１１０Ｈは、２．０ｍｍ程度（１．５〜２．５ｍｍ：好ましくは２．０ｍｍ）にされている。
【０１５４】
すなわち、本実施の形態１のサンダル用中底１００は、全周囲（コーナ）をコルクゴム部１１０で囲んでいるので足１が足受部１２０からずれるのを防止できている。
【０１５５】
（本底との組み合わせ）
図２１はサンダルの本底４００とサンダル用中底１００とを合体した場合の各部の断面図である。図２１（ａ）は図１４のｂ−ｂ断面の部分を示し、図２１（ｂ）は図１９のｇ−ｇ断面の部分を示し、図２１（ｃ）は図２０（ｂ）のｉ−ｉ断面の部分を示す。
【０１５６】
すなわち、中底本体部２２０は、サンダルの本底４００に対して全体的に一回り小さく成型し（図１２参照）、かつコルクゴム部１１０は裏面には本底４００と幅及び長さが一致して重なるためのコルクゴム裏面本底貼付領域１１０Ｈを形成しているので、図２１に示すように、爪先から踵後ろまでが本底４００の端とコルクゴム裏面本底貼付領域１１０Ｈのコルクゴム裏面エッジ１１０ａとはピッタリと重なることになる。
【０１５７】
図２２はサンダルの本底４００とサンダル用中底１００とを合体した場合の斜視図である。従って、図２２に示すように、表皮１９５をコルクゴム部１１０に巻き付けた場合は、形がしっかりと出ると共にデザイン性を損なうことはない。なお、図２２においては、本底４００にヒール４５０が接続された斜視図を示している。
【０１５８】
なお、上記各実施の中間層部材１８０は、図２３に示すように、足の外側となる部分を設けない、半ハート形状にしてもよい。
【０１５９】
また、上記の各図面の寸法は、一例であり、サンダルの種類が相違すると１ｍｍ以上の差異があるものとする。具体的には、ヒール部分（踵）はほぼ同程度であるが、土踏まず部（中足対応領域）と踏み付け部（前足対応領域）に関しては、１ｍｍ〜１．５ｍｍ程度の差異があるのが一般的である。
【０１６０】
＜実施の形態２＞
実施の形態１と同一符号のものは説明を省略する。
【０１６１】
図２４は実施の形態のサンダル用中底７００の斜視図であり、右足用を示している。図２５はサンダル用中底７００のＥ矢視図（内側側面）である。図２６は図２５のサンダル用中底７００の上面図である。図２７はサンダル用中底７００の構成部品の斜視図である。
【０１６２】
実施の形態のサンダル用中底７００は、図２４〜図２７に示すように、周囲にコルクゴム（以下コルクゴム部７１０という）を貼り付け、このコルクゴム部７１０によって足受部１２０の全体が略凹形状になるようにしている。
【０１６３】
前述のコルクゴム部７１０に囲まれている部分を足受用部材８００と称する。この足受用部材８００は材質が発泡ゴムであり、足１のＩＰラインに対応するＩＰライン用凸部８１２が形成されている。前述の足受部１２０は、図２４に示すように、足裏に対応している。
【０１６４】
また、足１というのは図２４に示すように、３アーチＦ（横アーチＦＡ、内側縦アーチＦＢ、外側縦アーチＦＣ）を維持することが重要である。横アーチＦＡが崩れてくると、開帳足、外反母趾になる傾向にある。また、外側縦アーチＦＣが崩れてくると、姿勢が崩れる傾向にある。内側縦アーチＦＢが崩れてくると偏平足になる傾向にある。
【０１６５】
このため、足の３アーチＦを維持するために、コルクゴム部７１０と足受用部材８００とで凸部を形成している。
【０１６６】
また、図２４においては、後述する内側縦アーチラインｆｂと、中央縦アーチラインｆｄと、外側縦アーチラインｆｃとを示している。
【０１６７】
すなわち、図２４に示すように、足受用部材８００には、横アーチ用凸部１８２が形成されている。さらに、コルクゴム部７１０と足受用部材８００とで内側縦アーチ用凸部１８４と、外側縦アーチ用凸部１８６とを形成している。
【０１６８】
また、コルクゴム部７１０の足受部１２０側の上面と足受用部材８００の上面は、型が崩れないようにガーゼ（以下ガーゼ７２０という）が張り付けられている。
【０１６９】
つまり、サンダル用中底７００には、下層部材、中間層部材及び上層部材は存在させないで、コルクゴム部７１０と発泡ゴム製の足受用部材８００とで凸部を形成している。
【０１７０】
前述のコルクゴム部７１０は、図２６に示すように、爪先部対応領域コルクゴム部７１０Ｍと、中足部対応領域内側コルクゴム部７１０Ｂｂと、中足部対応領域外側コルクゴム部７１０Ｂａと、後足部対応領域コルクゴム部７１０Ｃとから構成されている。
【０１７１】
爪先部対応領域コルクゴム部７１０Ｍは、中底本体部２２０の爪先部対応領域１００Ｅの外周囲を覆う領域である。
【０１７２】
中足部対応領域内側コルクゴム部７１０Ｂｂは、中底本体部２２０の中足部対応領域１００Ｂの足の内側となる領域である。
【０１７３】
中足部対応領域外側コルクゴム部７１０Ｂａは、中底本体部２２０の中足部対応領域１００Ｂの足の外側となる領域である。
【０１７４】
後足部対応領域コルクゴム部７１０Ｃは、後足部対応領域１００Ｃにおける領域である。
【０１７５】
そして、コルクゴム部７１０を含む外縁部を外縁部７１０Ｇと称し、爪先部対応領域コルクゴム部７１０Ｍにおける外縁部７１０Ｇを爪先部対応領域コルクゴム外縁部７１０ＧＡと称する。
【０１７６】
また、中足部対応領域内側コルクゴム部７１０Ｂｂにおける外縁部７１０Ｇを中足部対応領域内側コルクゴム外縁部７１０ＧＢｂと称する。
【０１７７】
中足部対応領域外側コルクゴム部７１０Ｂａにおける外縁部７１０Ｇを中足部対応領域外側コルクゴム外縁部７１０ＧＢａと称する。
【０１７８】
さらに、後足部対応領域コルクゴム部７１０Ｃにおける外縁部７１０Ｇを後足部対応領域コルクゴム外縁部７１０ＧＣと称する。
【０１７９】
次に実施の形態のサンダル用中底７００の構成部品を、図４を用いて説明する。図４に示すように、サンダル用中底７００は、補助板１５０と、シャンク１６０と、中底本体板１４０と、コルクゴム部７１０と、発泡ゴム製の足受用部材８００と、ガーゼ７２０とで構成されている。
【０１８０】
前述の補助板１５０とシャンク１６０と中底本体板１４０とを総称して中底本体部２２０と称する。
【０１８１】
つまり、中底本体部２２０の上に、発泡ゴム製の足受用部材８００を貼り付けると共に、中底本体部２２０の周囲にコルクゴム部７１０を貼り付けて足受部１２０の全体が略凹形状になるようにしている。
【０１８２】
また、足受用部材８００の硬度は、コルクゴム部７１０の硬度に対して低い。
【０１８３】
図２８は図２６のＧ−Ｇ断面図である。図２８においては足１の断面は、足１の親指から足の後端を見た場合の骨格を示している。
【０１８４】
図２８に示すように、実施の形態のサンダル用中底７００は、補助板１５０と中底本体板１４０との間に鋼鉄製のシャンク１６０を介在させ、この中底本体板１４０の上に発泡ゴム製の足受用部材８００が張り付けられている。そして、最上層部材としてガーゼ７２０を貼り付けている。
【０１８５】
そして、足１裏の先端から踵部の後端までがコルクゴム部７１０で囲まれて足受部１２０に収まっている。
【０１８６】
このため、サンダル用中底７００は、周囲を硬度が高いコルクゴム部７１０で形成しているので、サンダルの表皮を巻き付けた場合はエッジが綺麗に出るのでデザイン性が損なわれることがないと共に、足の横ずれ及び前ずれを防止できる。
【０１８７】
図２９はサンダル用中底７００の裏面図である。図３０は足の骨格を示した裏面図である。
【０１８８】
図２９に示すように、サンダル用中底７００は、裏面も周囲がコルクゴム部７１０で囲まれている。そして、中底本体板１４０には、この中底本体板１４０を押さえるための中底本体板押用孔１４１（１４１ａ、１４１ｂ）が形成され、補助板１５０にも補助板押用孔１５１(１５１ａ、１５１ｂ)が形成されている。
【０１８９】
また、コルクゴム部７１０の裏面には、コルクゴム裏面エッジ７１０ａが形成されている。このコルクゴム裏面エッジ７１０ａは、本底（図示せず）の幅及び長さに対応する。このコルクゴム裏面エッジ７１０ａと中底本体部２２０の裏面縁とに囲まれた領域をコルクゴム裏面本底貼付領域７１０Ｈと称する。
【０１９０】
図３１はサンダル用中底７００の上面図である。図３１においては、右足を右足用のサンダル用中底７００に置いて上からみたときの足の骨格を示している。
【０１９１】
次に、図３２〜図３９を用いてサンダル用中底７００の横断面を説明する。図３２〜図３４は爪先部対応領域１００Ｅの断面を示し、図３５〜図３７は中足部対応領域１００Ｂの断面を示し、図３８、図３９は後足部対応領域１００Ｃの断面を示す。
【０１９２】
図３２は図２６のサンダル用中底７００のｋ−ｋ断面であり前足部対応領域１００Ａの前方付近である。
【０１９３】
図３３は図２６のサンダル用中底７００のｍ−ｍ断面であり前足部対応領域１００Ａにおけるｋ−ｋ断面よりやや後方付近である。
【０１９４】
図３４は図２６のサンダル用中底７００のｎ−ｎ断面であり、前足部対応領域１００Ａにおける最も横幅がある付近である。
【０１９５】
図３５は図２６のサンダル用中底７００のｐ−ｐ断面であり、中足部対応領域１００Ｂの前付近である。
【０１９６】
図３６は図２６のサンダル用中底７００のｑ−ｑ断面であり、図２６のｐ−ｐ断面よりやや後方の断面である。
【０１９７】
図３７は図２６のサンダル用中底７００のｒ−ｒ断面であり、中足部対応領域１００Ｂにおける後足部対応領域１００Ｃに近い部分の断面である。
【０１９８】
図３８は後足部対応領域１００Ｃにおけるｓ−ｓ断面であり、踵部の前方付近の断面である。図３９は後足部対応領域１００Ｃにおけるｔ−ｔ断面であり、踵部中心付近の断面である。
【０１９９】
（爪先部対応領域１００Ｅ）
図３２のｋ−ｋ断面では、中底本体板１４０（厚みは２．１０〜２．３０ｍｍ：好ましくは２．２０ｍｍ）が最下層であり、この中底本体板１４０の上に発泡ゴムである足受用部材８００が張り付けられている。この部分の足受用部材８００の薄い部分の厚みは、１ｍｍ程度（０．５〜１．５ｍｍ：好ましくは１．０ｍｍ）にされ、ＩＰライン用凸部８１２の部分は２．０ｍｍ程度（１．５〜３．０ｍｍ：好ましくは２．０ｍｍ）にされている。
【０２００】
また、図３２に示すｋ−ｋ断面における中底本体板１４０の幅は、５５．５ｍｍ程度（５４．０ｍｍ〜５６．０：好ましくは５５．５ｍｍ）である。そして、この足受用部材８００の上にガーゼ７２０が圧着されている。
【０２０１】
この部分の爪先部対応領域コルクゴム部７１０Ｍ（コルクゴム部７１０）は、中底本体板１４０の両端に熱圧着され、端に向かって次第に高くなるようにされている。
【０２０２】
また、この部分の両端の爪先部対応領域コルクゴム外縁部７１０ＧＡ（外縁部７１０Ｇ）の厚みは中底本体板１４０の下面から各々７．０ｍｍ程度（６．５０〜７．５ｍｍ：好ましくは７．０ｍｍ）にされ、足の内側となる爪先部対応領域コルクゴム外縁部７１０ＧＡ（外縁部７１０Ｇ）の幅は、中底本体板縁１４０ｅから５．５ｍｍ程度（５．００〜６．０ｍｍ：好ましくは５．５ｍｍ）にされている。
【０２０３】
また、この部分の足の内側となる爪先部対応領域コルクゴム外縁部７１０ＧＡ（外縁部７１０Ｇ）のコルクゴム裏面エッジ７１０ａと中底本体板縁１４０ｅとの間隔であるコルクゴム裏面本底貼付領域７１０Ｈは、３．５ｍｍ程度（３．０〜４．０ｍｍ：好ましくは３．５ｍｍ）にされている。
【０２０４】
一方、この部分の足の外側となる爪先部対応領域コルクゴム外縁部７１０ＧＡ（外縁部７１０Ｇ）のコルクゴム裏面エッジ７１０ａと中底本体板縁１４０ｅとの間隔であるコルクゴム裏面本底貼付領域７１０Ｈは、３．０ｍｍ程度（２．５〜３．５ｍｍ：好ましくは３．０ｍｍ）にされている。
【０２０５】
そして、足の内側及び外側となる爪先部対応領域コルクゴム外縁部７１０ＧＡ（外縁部７１０Ｇ）のコルクゴム部７１０は、中底本体板１４０の端の表面（以下中底本体板端上領域１４０ｕという）に貼り付けられ、かつ足受用部材８００の両端を挟むようにして貼り付けられている。
【０２０６】
図３３のｍ−ｍ断面では、図３２と同様に、中底本体板１４０（厚みは２．１０〜２．３０ｍｍ：好ましくは２．２０ｍｍ）が最下層であり、この中底本体板１４０の上に足受用部材８００が張り付けられている。この部分は、爪先部におけるＩＰライン用凸部８１２に係る断面であるから、図３３に示すように、小指付近を除いてＩＰライン用凸部８１２が存在する。
【０２０７】
また、ｍ−ｍ断面における中底本体板１４０の幅は、図３３に示すように６９．０ｍｍ程度（６８．０ｍｍ〜７０．０：好ましくは６９．０ｍｍ）である。
【０２０８】
そして、この足受用部材８００及び爪先部対応領域コルクゴム外縁部７１０ＧＡ（外縁部７１０Ｇ）の上にはガーゼ７２０が張り付けられている。
【０２０９】
また、この部分のコルクゴム部７１０の両端の爪先部対応領域コルクゴム外縁部７１０ＧＡ（外縁部７１０Ｇ）は、図３２と同様に、端に向かって次第に高くなるようにされている。
【０２１０】
また、この部分の両端の爪先部対応領域コルクゴム外縁部７１０ＧＡ（外縁部７１０Ｇ）の厚みは中底本体板１４０の下面から７．０ｍｍ程度（６．５０〜７．５０ｍｍ：好ましくは７．０ｍｍ）にされ、幅は、中底本体板１４０の中底本体板縁１４０ｅから４．０ｍｍ程度（３．５０〜４．５ｍｍ：好ましくは４．０ｍｍ）にされている。
【０２１１】
また、この部分の両端の爪先部対応領域コルクゴム外縁部７１０ＧＡ（外縁部７１０Ｇ）のコルクゴム裏面エッジ７１０ａと中底本体板縁１４０ｅとの間隔であるコルクゴム裏面本底貼付領域７１０Ｈは、２．５ｍｍ程度（２．０〜３．０ｍｍ：好ましくは２．５ｍｍ）にされている。
【０２１２】
そして、足の内側及び外側となる爪先部対応領域コルクゴム外縁部７１０ＧＡ（外縁部７１０Ｇ）のコルクゴム部７１０は、中底本体板端上領域１４０ｕに貼り付けられ、かつ足受用部材８００の両端を挟むようにして貼り付けられている。
【０２１３】
図３４のｎ−ｎ断面では、中底本体板１４０が最下層となっている。この部分は補助板１５０の先端よりも前であるから中底本体板１４０が下層となる。
【０２１４】
そして、この中底本体板１４０の上に中底本体板１４０が重ねられ、中底本体板１４０の上に、発泡ゴムである足受用部材８００が張り付けられ、この足受用部材８００及び爪先部対応領域コルクゴム外縁部７１０ＧＡ（外縁部７１０Ｇ）にガーゼ７２０が張り付けられている。
【０２１５】
また、ｎ−ｎ断面における中底本体板１４０の幅は、図３４に示すように７２．５ｍｍ程度（７２．０ｍｍ〜７３．０：好ましくは７２．０ｍｍ）であり、最も横幅が大きい個所である。
【０２１６】
そして、この部分の足の内側となる爪先部対応領域コルクゴム外縁部７１０ＧＡ（外縁部７１０Ｇ）の厚みは中底本体板１４０の下面から８．０ｍｍ程度（７．０〜９．０ｍｍ：好ましくは８．０ｍｍ）にされ、幅は、中底本体板縁１４０ｅから３．５ｍｍ程度（３．０〜４．０ｍｍ：好ましくは３．５ｍｍ）にされている。
【０２１７】
また、この部分の足の外側となる爪先部対応領域コルクゴム外縁部７１０ＧＡ（外縁部７１０Ｇ）の厚みは中底本体板１４０の下面から７．０ｍｍ程度（６．０〜８．０ｍｍ：好ましくは７．０ｍｍ）にされ、幅は、中底本体板縁１４０ｅから４．０ｍｍ程度（３．０〜５．０ｍｍ：好ましくは４．０ｍｍ）にされている。
【０２１８】
一方、この部分の足の外側となる爪先部対応領域コルクゴム外縁部７１０ＧＡ（外縁部７１０Ｇ）のコルクゴム裏面エッジ７１０ａと中底本体板縁１４０ｅとの間隔であるコルクゴム裏面本底貼付領域７１０Ｈは、２．５ｍｍ程度（２．０〜３．０ｍｍ：好ましくは２．５ｍｍ）にされている。
【０２１９】
そして、足の内側及び外側となる爪先部対応領域コルクゴム外縁部７１０ＧＡ（外縁部７１０Ｇ）のコルクゴム部７１０は、中底本体板端上領域１４０ｕに貼り付けられ、かつ足受用部材８００の両端を挟むようにして貼り付けられている。
【０２２０】
すなわち、前足部１０の親指から小指が両端の爪先部対応領域コルクゴム外縁部７１０ＧＡ（外縁部７１０Ｇ）によって囲まれて足受部１２０に載置することになり、前足部１０の横ずれ前ずれを防止できている。
【０２２１】
（中足対応領域）
図３５は、図２６のｐ−ｐ断面であり、母趾球部６０〜小趾球部６５の部分に対応する。
【０２２２】
そして、この中足部対応領域１００Ｂの部分は、補助板１５０が最下層である。この部分の補助板１５０の厚みは、３．５ｍｍ程度（３．０〜４．０ｍｍ：好ましくは３．５ｍｍ）にされている。
【０２２３】
そして、補助板１５０の上に中底本体板１４０が重ねられ、中底本体板１４０の上の足受用部材８００が重ねられている。
【０２２４】
また、ｐ−ｐ断面における補助板１５０及び中底本体板１４０の横幅は、図３５に示すように、４２．５ｍｍ程度（４１．５〜４４．０ｍｍ：好ましくは４２．５ｍｍ）にされている。
【０２２５】
そして、この足受用部材８００の上にガーゼ７２０が重ねられている。図３５には、ｐ−ｐ断面には横アーチ用凸部１８２の一部が存在していることを示す。
【０２２６】
また、図３５に示すように、の両端には、外縁部７１０Ｇ（中足部対応領域外側コルクゴム外縁部７１０ＧＢａ、中足部対応領域内側コルクゴム外縁部７１０ＧＢｂ）が形成され、端に向かって次第に高さを増している。
【０２２７】
そして、足の内側となる中足部対応領域内側コルクゴム外縁部７１０ＧＢｂ（外縁部７１０Ｇ）の厚みは補助板１５０の下面から１０．５ｍｍ程度（９．５〜１１．０ｍｍ：好ましくは１０．５ｍｍ）にされ、幅は、中底本体板１４０の中底本体板縁１４０ｅから１０．０ｍｍ程度（９．５〜１１．０ｍｍ：好ましくは１０．０ｍｍ）にされている。
【０２２８】
また、足の外側となる中足部対応領域外側コルクゴム外縁部７１０ＧＢａ（外縁部７１０Ｇ）の厚みは補助板１５０の下面から６．０ｍｍ程度（５．５〜６．５ｍｍ：好ましくは６．０ｍｍ）にされ、幅は、中底本体板縁１４０ｅ及び補助板縁１５０ｅから５．５ｍｍ程度（５．０〜６．０ｍｍ：好ましくは５．５ｍｍ）にされている。
また、この部分の足の内側となる中足部対応領域内側コルクゴム外縁部７１０ＧＢｂ（外縁部７１０Ｇ）のコルクゴム裏面エッジ７１０ａと補助板縁１５０ｅとの間隔であるコルクゴム裏面本底貼付領域７１０Ｈは、２．０ｍｍ程度（１．５〜２．５ｍｍ：好ましくは２．０ｍｍ）にされている。
【０２２９】
さらに、この部分の足の外側となる中足部対応領域外側コルクゴム外縁部７１０ＧＢａ（外縁部７１０Ｇ）のコルクゴム裏面エッジ７１０ａと補助板縁１５０ｅとの間隔であるコルクゴム裏面本底貼付領域７１０Ｈは、３．０ｍｍ程度（２．０〜４．０ｍｍ：好ましくは３．０ｍｍ）にされている。
【０２３０】
そして、足の内側及び外側となる外縁部７１０Ｇ（中足部対応領域外側コルクゴム外縁部７１０ＧＢａ、中足部対応領域内側コルクゴム外縁部７１０ＧＢｂ）のコルクゴム部７１０は、中底本体板端上領域１４０ｕに貼り付けられ、かつ足受用部材８００の両端を挟むようにして貼り付けられている。
【０２３１】
図３６は、図２６のサンダル用中底７００のｑ−ｑ断面である。
【０２３２】
そして、この部分は、図３５と同様に、補助板１５０が最下層であり、厚みも同様である。
【０２３３】
そして、補助板１５０の上に中底本体板１４０が重ねられ、中底本体板１４０の上に足受用部材８００が張り付けられている。
【０２３４】
また、ｑ−ｑ断面における補助板１５０及び中底本体板１４０の横幅は、図３６に示すように、３４．０ｍｍ程度（３３．０〜３５．０ｍｍ：好ましくは３４．０ｍｍ）にされている。
【０２３５】
そして、この足受用部材８００及び外縁部７１０Ｇ（中足部対応領域外側コルクゴム外縁部７１０ＧＢａ、中足部対応領域内側コルクゴム外縁部７１０ＧＢｂ）の上にガーゼ７２０が圧着されている。この部分の足受用部材８００の厚みは、中足部の土踏まずを支える領域であるからクッション性を兼ねて厚くされている。
【０２３６】
また、図３６に示すように、両端の外縁部７１０Ｇ（中足部対応領域外側コルクゴム外縁部７１０ＧＢａ、中足部対応領域内側コルクゴム外縁部７１０ＧＢｂ）は、端に向かって次第に厚みを増している。
【０２３７】
そして、足の内側となる中足部対応領域内側コルクゴム外縁部７１０ＧＢｂ（外縁部７１０Ｇ）の厚みは補助板１５０の下面から１５．０ｍｍ程度（１４．０〜１６．０ｍｍ：好ましくは１５．０ｍｍ）にされ、幅は、中底本体板縁１４０ｅ及び補助板縁１５０ｅから１５．０ｍｍ程度（１４．０〜１６．０ｍｍ：好ましくは１５．０ｍｍ）にされている。
【０２３８】
一方、足の外側となる中足部対応領域外側コルクゴム外縁部７１０ＧＢａ（外縁部７１０Ｇ）の厚みは補助板１５０の下面から８．０ｍｍ程度（７．０〜９．５ｍｍ：好ましくは８．０ｍｍ）にされ、幅は、中底本体板縁１４０ｅ及び補助板縁１５０ｅから１２．０ｍｍ程度（１１．０〜１３．０ｍｍ：好ましくは１２．０ｍｍ）にされている。
【０２３９】
さらに、この部分の足の内側となる中足部対応領域内側コルクゴム外縁部７１０ＧＢｂ（外縁部７１０Ｇ）のコルクゴム裏面エッジ７１０ａと補助板縁１５０ｅとの間隔であるコルクゴム裏面本底貼付領域７１０Ｈは、５．０ｍｍ程度（４．０〜６．０ｍｍ：好ましくは５．０ｍｍ）にされている。
【０２４０】
さらに、この部分の足の外側となる中足部対応領域外側コルクゴム外縁部７１０ＧＢａ（外縁部７１０Ｇ）のコルクゴム裏面エッジ７１０ａと補助板縁１５０ｅとの間隔であるコルクゴム裏面本底貼付領域７１０Ｈは、７．０ｍｍ程度（６．０〜８．０ｍｍ：好ましくは７．０ｍｍ）にされている。
【０２４１】
そして、足の内側及び外側となる外縁部７１０Ｇ（中足部対応領域外側コルクゴム外縁部７１０ＧＢａ、中足部対応領域内側コルクゴム外縁部７１０ＧＢｂ）のコルクゴム部７１０は、中底本体板端上領域１４０ｕに貼り付けられ、かつ足受用部材８００の両端を挟むようにして貼り付けられている。
【０２４２】
図３７は、図３のｒ−ｒ断面である。
【０２４３】
そして、この部分は、図３６及び図３７と同様に、補助板１５０が最下層であり、厚みも同様である。
【０２４４】
そして、補助板１５０の上に中底本体板１４０が重ねられ、中底本体板１４０に足受用部材８００が重ねられ、この足受用部材８００の上に、ガーゼ７２０が張り付けられている。
【０２４５】
また、ｒ−ｒ断面における補助板１５０及び中底本体板１４０の横幅は、図３７に示すように、３３．０ｍｍ程度（３２．０〜３４．０ｍｍ：好ましくは３３．０ｍｍ）にされている。
【０２４６】
そして、この部分の足受用部材８００の厚みは、中足部対応領域１００Ｂの後方となる部分であるからｑ―ｑ断面に対してやや薄くなっている。
【０２４７】
また、図３７に示すように、の両端には、外縁部７１０Ｇ（中足部対応領域外側コルクゴム外縁部７１０ＧＢａ、中足部対応領域内側コルクゴム外縁部７１０ＧＢｂ）が形成され、端に向かうに従って次第に厚みを増している。
【０２４８】
そして、足の内側となる中足部対応領域内側コルクゴム外縁部７１０ＧＢｂ（外縁部７１０Ｇ）の厚みは補助板１５０の下面から１４．０ｍｍ程度（１３．０〜１５．０ｍｍ：好ましくは１４．０ｍｍ）にされ、幅は、中底本体板縁１４０ｅ及び補助板縁１５０ｅから１５．０ｍｍ程度（１４．０〜１６．０ｍｍ：好ましくは１５．０ｍｍ）にされている。
【０２４９】
一方、この部分の足の内側となる中足部対応領域内側コルクゴム外縁部７１０ＧＢｂ（外縁部７１０Ｇ）のコルクゴム裏面エッジ７１０ａと補助板縁１５０ｅとの間隔であるコルクゴム裏面本底貼付領域７１０Ｈは、５．０ｍｍ程度（４．０〜６．０ｍｍ：好ましくは５．０ｍｍ）にされている。
【０２５０】
さらに、この部分の足の外側となる中足部対応領域外側コルクゴム外縁部７１０ＧＢａ（外縁部７１０Ｇ）のコルクゴム裏面エッジ７１０ａと補助板縁１５０ｅとの間隔であるコルクゴム裏面本底貼付領域７１０Ｈは、５．０ｍｍ程度（４．０〜６．０ｍｍ：好ましくは５．０ｍｍ）にされている。
【０２５１】
すなわち、中足部対応領域１００Ｂは、内側縦アーチラインｆｂ付近は、母趾球部６０から次第に厚みを増してｑ−ｑ断面付近で最大の厚みとなっている。
【０２５２】
そして、足の内側及び外側となる外縁部７１０Ｇ（中足部対応領域外側コルクゴム外縁部７１０ＧＢａ、中足部対応領域内側コルクゴム外縁部７１０ＧＢｂ）のコルクゴム部７１０は、中底本体板端上領域１４０ｕに貼り付けられ、かつ足受用部材８００の両端を挟むようにして貼り付けられている。
【０２５３】
（後足部対応領域）
図３８は、図２６のｓ−ｓ断面であり、後足部対応領域１００Ｃの前側付近である。
【０２５４】
この部分は、図３７と同様に、補助板１５０が最下層であり、厚みは、３．５ｍｍ程度（３．０〜４．０ｍｍ：好ましくは３．５ｍｍ）にされている。
【０２５５】
そして、この補助板１５０の上に中底本体板１４０が圧着され、この中底本体板１４０に足受用部材８００が熱圧着され、足受用部材８００及び外縁部７１０Ｇ（後足部対応領域コルクゴム外縁部７１０ＧＣ）の上にガーゼ７２０が圧着されている。この足受用部材８００の厚みは１．５ｍｍ程度（１．０〜２．０ｍｍ：好ましくは１．５ｍｍ）にされている。また、両端の外縁部７１０Ｇ（後足部対応領域コルクゴム外縁部７１０ＧＣ）は外側に向かって次第に高さを増している。
【０２５６】
また、ｓ−ｓ断面における補助板１５０及び中底本体板１４０の横幅は、図３８１５に示すように、４１．０ｍｍ程度（４０．０〜４２．０ｍｍ：好ましくは４１．０ｍｍ）にされている。
【０２５７】
そして、足の内側となる後足部対応領域コルクゴム外縁部７１０ＧＣ（外縁部７１０Ｇ）におけるコルクゴム部７１０の厚みは補助板１５０の下面から１２．０ｍｍ程度（１１．０〜１３．０ｍｍ：好ましくは１２．０ｍｍ）にされ、幅は、中底本体板縁１４０ｅ及び補助板縁１５０ｅから８．０ｍｍ程度（７．０〜９．０ｍｍ：好ましくは８．０ｍｍ）にされている。
【０２５８】
また、この部分の足の内側となる後足部対応領域コルクゴム外縁部７１０ＧＣ（外縁部７１０Ｇ）のコルクゴム裏面エッジ７１０ａと補助板縁１５０ｅとの間隔であるコルクゴム裏面本底貼付領域７１０Ｈは、５．０ｍｍ程度（４．０〜６．０ｍｍ：好ましくは５．０ｍｍ）にされている。
【０２５９】
一方、図３８に示すように、足の外側となる後足部対応領域コルクゴム外縁部７１０ＧＣ（外縁部７１０Ｇ）におけるコルクゴム部７１０の厚みは補助板１５０の下面から１１．０ｍｍ程度（１０．０〜１２．０ｍｍ：好ましくは１１．０ｍｍ）にされ、幅は、中底本体板縁１４０ｅ及び補助板縁１５０ｅから８．０ｍｍ程度にされている。
【０２６０】
また、図３８に示すように、足の外側となる後足部対応領域コルクゴム外縁部７１０ＧＣ（外縁部７１０Ｇ）におけるコルクゴム部７１０のコルクゴム裏面エッジ７１０ａと補助板縁１５０ｅとの間隔であるコルクゴム裏面本底貼付領域７１０Ｈは、５．０ｍｍ程度にされている。
【０２６１】
そして、足の内側及び外側となる外縁部７１０Ｇ（後足部対応領域コルクゴム外縁部７１０ＧＣ）は、中底本体板端上領域１４０ｕに貼り付けられ、かつ足受用部材８００の両端を挟むようにして貼り付けられている。
【０２６２】
図３９は図２６のｔ−ｔ断面であり、後足部対応領域１００Ｃにおける足の踵部中央付近である。
【０２６３】
この部分は、図３８と同様に、補助板１５０が最下層であり、厚みは、３．５ｍｍ程度（３．０〜４．０ｍｍ：好ましくは３．５ｍｍ）にされている。
【０２６４】
そして、補助板１５０の上に中底本体板１４０が圧着され、この中底本体板１４０に足受用部材８００が圧着され、足受用部材８００及び外縁部７１０Ｇ（後足部対応領域コルクゴム外縁部７１０ＧＣ）の上にガーゼ７２０が圧着されている。
【０２６５】
そして、両端の外縁部７１０Ｇ（後足部対応領域コルクゴム外縁部７１０ＧＣ）のコルクゴム部７１０は端に向かって次第に高さを増している。
【０２６６】
また、ｔ−ｔ断面における補助板１５０及び中底本体板１４０の横幅は、図３９１６に示すように、４１．０ｍｍ程度にされている。
【０２６７】
そして、足の内側となる後足部対応領域コルクゴム外縁部７１０ＧＣ（外縁部７１０Ｇ）及び足の外側となる後足部対応領域コルクゴム外縁部７１０ＧＣ（外縁部７１０Ｇ）の各々の厚みは補助板１５０の下面から１０．０ｍｍ程度（９．０〜１１．０ｍｍ：好ましくは１０．０ｍｍ）にされ、幅は、中底本体板縁１４０ｅ及び補助板縁１５０ｅから８．０ｍｍ程度（７．０〜９．０ｍｍ：好ましくは８．０ｍｍ）にされている。
【０２６８】
また、この部分の足の内側となる後足部対応領域コルクゴム外縁部７１０ＧＣ（外縁部７１０Ｇ）のコルクゴム裏面エッジ７１０ａと補助板縁１５０ｅとの間隔であるコルクゴム裏面本底貼付領域７１０Ｈは、５．０ｍｍ程度にされている。つまり、この部分の後足部対応領域コルクゴム外縁部７１０ＧＣ（外縁部７１０Ｇ）のコルクゴム裏面本底貼付領域７１０Hは、５．０ｍｍ程度にされている。
【０２６９】
さらに、この部分の足の外側となる後足部対応領域コルクゴム外縁部７１０ＧＣ（外縁部７１０Ｇ）のコルクゴム裏面エッジ７１０ａと補助板縁１５０ｅとの間隔であるコルクゴム裏面本底貼付領域７１０Ｈは、５．０ｍｍ程度にされている。
【０２７０】
そして、足の内側及び外側となる後足部対応領域コルクゴム外縁部７１０ＧＣ（外縁部７１０Ｇ）のコルクゴム部７１０は、中底本体板端上領域１４０ｕに貼り付けられ、かつ足受用部材８００の両端を挟むようにして貼り付けられている。
【０２７１】
すなわち、本実施の形態のサンダル用中底７００は、全周囲（コーナ）をコルクゴム部７１０で囲んでいるので足が足受部１２０からずれるのを防止できていると共に、足受用部材８００を発泡ゴムで成型しているのでクッション効果がある。
【０２７２】
（本底との組み合わせ）
図４０はサンダルの本底４００とサンダル用中底７００とを合体した場合の各部の断面図である。図４０（ａ）は図３２のｋ−ｋ断面の部分を示し、図４０（ｂ）は図３６のｑ−ｐ断面の部分を示し、図４０（ｃ）は図３９のｔ−ｔ断面の部分を示す。
【０２７３】
すなわち、サンダル用中底７００は、サンダルの本底４００に対して全体的に一回り小さく成型しているので、コルクゴム部７１０の裏面のコルクゴム裏面エッジ７１０ａと本底４００の端とは、図４０（ａ）〜図４０（ｃ）に示すように、ピッタリと重なることになる。
【０２７４】
図４１はサンダルの本底４００とサンダル用中底７００とを合体した場合の斜視図である。従って、図４１に示すように、表皮１９５をコルクゴム部７１０に巻き付けた場合は、形がしっかりと出ると共にデザイン性を損なうことはない。
【符号の説明】
【０２７５】
１００  サンダル用中底
１３０  不織布
１８０  中間層部材
１２０  足受部
２２０  中底本体部
１７０  下層部材
１８０  中間層部材
１９０  上層部材
１４０  中底本体板
７００  サンダル用中底
７１０  コルクゴム部
８００  足受用部材
７１０Ｍ  爪先部対応領域コルクゴム部
７１０Ｂｂ  中足部対応領域内側コルクゴム部
７１０Ｂａ  中足部対応領域外側コルクゴム部
７１０Ｃ  後足部対応領域コルクゴム部
【図１】
2018094135.tif 000003
【図２】
2018094135.tif 000004
【図３】
2018094135.tif 000005
【図４】
2018094135.tif 000006
【図５】
2018094135.tif 000007
【図６】
2018094135.tif 000008
【図７】
2018094135.tif 000009
【図８】
2018094135.tif 000010
【図９】
2018094135.tif 000011
【図１０】
2018094135.tif 000012
【図１１】
2018094135.tif 000013
【図１２】
2018094135.tif 000014
【図１３】
2018094135.tif 000015
【図１４】
2018094135.tif 000016
【図１５】
2018094135.tif 000017
【図１６】
2018094135.tif 000018
【図１７】
2018094135.tif 000019
【図１８】
2018094135.tif 000020
【図１９】
2018094135.tif 000021
【図２０】
2018094135.tif 000022
【図２１】
2018094135.tif 000023
【図２２】
2018094135.tif 000024
【図２３】
2018094135.tif 000025
【図２４】
2018094135.tif 000026
【図２５】
2018094135.tif 000027
【図２６】
2018094135.tif 000028
【図２７】
2018094135.tif 000029
【図２８】
2018094135.tif 000030
【図２９】
2018094135.tif 000031
【図３０】
2018094135.tif 000032
【図３１】
2018094135.tif 000033
【図３２】
2018094135.tif 000034
【図３３】
2018094135.tif 000035
【図３４】
2018094135.tif 000036
【図３５】
2018094135.tif 000037
【図３６】
2018094135.tif 000038
【図３７】
2018094135.tif 000039
【図３８】
2018094135.tif 000040
【図３９】
2018094135.tif 000041
【図４０】
2018094135.tif 000042
【図４１】
2018094135.tif 000043